(57)【要約】  顔の皮膚の洗浄のためのフェースマスクである。フェースマスク（１００）はフェースマスクの洗浄信号発生器が生成する電気洗浄信号を受ける２個以上の電極（２２，２３）を備え、フェースマスク（１００）内にある電極は正電極（２２）と負電極（２３）とを備える電極対（２４）として配置され、全ての電極対（２４）はフェースマスク（１００）内の実質的に顔の領域内にある。このフェースマスクの特徴は、フェースマスク（１００）の外縁が、フェースマスクのユーザの皮膚にフェースマスクを付けるための掴み手段（１２０）を備える縁部（１０１）を有することである。
2009517154.tif 000002
【特許請求の範囲】
【請求項１】
顔の皮膚の洗浄のためのフェースマスクであって、
前記フェースマスクの洗浄信号発生器が生成する電気洗浄信号を受ける２個以上の電極（２２，２３）を備え、
該電極（２２，２３）は正電極（２２）と負電極（２３）とを備える電極対（２４）として前記フェースマスク（１００）内に配置され、全ての前記電極対（２４）は前記フェースマスク（１００）内にあり、
その特徴は、
前記フェースマスク（１００）は皮膚に当たる薄い吸着層を備え、フェースマスク（１００）の外縁は、フェースマスクのユーザの皮膚にフェースマスクを付けるための掴み手段（１２０）を備える縁部（１０１）を有する、
ことである前記フェースマスク（１００）。
【請求項２】
前記吸着層は繊維織で作ることを特徴とする請求項１記載のフェースマスク。
【請求項３】
前記吸着層はウォーター・ニードル・パンチ状の、固着剤を含まない繊維織物で作ることを特徴とする請求項２記載のフェースマスク。
【請求項４】
前記吸着層の厚さは３ｍｍ以下であることを特徴とする請求項１から３のいずれか一項記載のフェースマスク。
【請求項５】
前記吸着層の厚さは２ｍｍ以下であることを特徴とする請求項１から３のいずれか一項記載のフェースマスク。
【請求項６】
前記吸着層の厚さは１ｍｍ以下であることを特徴とする請求項１から３のいずれか一項記載のフェースマスク。
【請求項７】
前記フェースマスク（１００）は、ユーザの鼻の部分に前記ユーザの鼻に応じて前記フェースマスクを付けるための掴み手段（１２０）を備える位置合わせ部（１２１）を有することを特徴とする請求項１から６のいずれか一項記載のフェースマスク。
【請求項８】
前記縁部（１０１）は弾性を有することを特徴とする請求項１から７のいずれか一項記載のフェースマスク。
【請求項９】
フェースマスク（１００）は層構造であり、
皮膚に当てる吸着層と、
導電層および上部プラスチック層であって、他の層より広く、前記フェースマスクをユーザの顔に付けることができる前記縁部を持つ前記フェースマスクの縁を形成する、前記導電層および前記上部プラスチック層と、
を備えることを特徴とする請求項１から８のいずれか一項記載のフェースマスク。
【請求項１０】
前記上部プラスチック層は少なくとも部分的に透湿性であることを特徴とする請求項１から９のいずれか一項記載のフェースマスク。
【請求項１１】
前記吸着層は繊維で作り、前記導電層は前記繊維内に蒸着させて形成することを特徴とする請求項１から１０のいずれか一項記載のフェースマスク。
【請求項１２】
前記導電層は前記上部のプラスチック層の下側に形成することを特徴とする請求項１から１１のいずれか一項記載のフェースマスク。
【請求項１３】
前記導電層は網状であることを特徴とする請求項１から１２のいずれか一項記載のフェースマスク。
【請求項１４】
前記導電層は穴があいていることを特徴とする請求項１から１３のいずれか一項記載のフェースマスク。
【請求項１５】
前記フェースマスク（１００）は前記ユーザの顔の或る部分だけを覆う部分フェースマスクであることを特徴とする請求項１から１４のいずれか一項記載のフェースマスク。
【請求項１６】
前記掴み手段（１２０）は接着剤を含み、除去可能なカバー紙を備えることを特徴とする請求項１から１５のいずれか一項記載のフェースマスク。
【発明の詳細な説明】
【技術分野】
【０００１】
本発明は皮膚の洗浄に関するものであって、特に顔の皮膚を洗浄するためのフェースマスクに関し、フェースマスクは洗浄信号を生成する洗浄信号発生器に接続する２個以上の電極を備える。
【背景技術】
【０００２】
図１に係るフェースマスクは周知のものであって、フェースマスクの外部の洗浄信号発生器１が生成する電気洗浄信号を受ける２個以上の電極２２，２３を備え、フェースマスク内にある電極は正電極と負電極とを備える電極対として配置され、フェースマスク内にある。また、フェースマスクは皮膚に当たる繊維層を備える。繊維材料は優れた吸着性を有し、電極が与える電流により強化される。
【発明の開示】
【発明が解決しようとする課題】
【０００３】
フェースマスクは、フェースマスクをユーザの顔に押し付ける硬い外側部を備える。この硬い部分は、例えば頭または耳の後ろで、バンド３０などで締めて顔に固定する。このようにバンドを締めるのはユーザにとって面倒でありまた不便である。また、顔の形はユーザにより異なるので、硬い部分の下部を皮膚に均一に当てることはできない。したがって、電流は処置する全ての領域に均一に分布しない。
【課題を解決するための手段】
【０００４】
本発明の目的は、ユーザの顔に密着しかつフェースマスクと洗浄する領域との間を洗浄液を通して電気的に接続するフェースマスクを提供することである。本発明の目的は、独立クレームに開示される特徴を有するフェースマスクにより達成される。本発明の好ましい実施の形態は従属クレームに開示されている。
本発明の目的は顔の皮膚を洗浄するためのフェースマスクを提供することであって、このフェースマスクは、フェースマスクのユーザの皮膚にフェースマスクを付けるための掴み手段（ｇｒｉｐｐｉｎｇ  ｍｅａｎｓ）を設けた縁部を備える。この掴み手段により、全ての顔の形に合うようにフェースマスクを調整することができる。掴み手段は適当な接着剤で作ってよく、使用後は容易に除去することができるが、使用中はフェースマスクを顔に密着させる。接着剤は点状でよく、または縁部をより広くカバーしてよい。
【０００５】
１つの実施の形態では、フェースマスクはフェースマスクのユーザの鼻の部分に設ける位置合わせ部を備える。電極の間の或る部分は絶縁部を含み、マスク内で電流が皮膚を通らずに電極の間に流れるのを防ぐ。位置合わせ部は、フェースマスクをフェースマスクのユーザの鼻に密着させるための掴み手段も備える。フェースマスクには別の位置合わせ部（例えば、あごの部分）も設けてよい。顔の前面のあごにこのような位置合わせ部を設ける目的は、口の開口部を調整できるようにすることである。フェースマスクは目と口の部分に十分の大きさの開口部を備える。導電層内の開口部は更に大きい。それは吸着層の導電層がユーザの皮膚または目に直接触れるのを防ぐためである。
【０００６】
別の実施の形態では、フェースマスクの縁部は伸縮性があり、マスクを付けている間固定することができる。
更に別の実施の形態では、フェースマスクは層構造を有し、皮膚に当てる吸着層と、導電層と、上部プラスチック層（他の層より広くて、フェースマスクをユーザの顔に付けるための縁部を持つフェースマスクの縁を形成する）とを備える。
フェースマスクは層構造を有し、少なくとも１つの吸着層と１つの導電層とを含む。更に、導電層は適当な外側の表面層でカバーしてよい。この表面層は粘着性のプラスチック・フィルムでよく、これを導電層および吸着層の上にスプレイして、粘着性のプラスチック・フィルムを導電層および吸着層に固定させる。スプレイ可能なプラスチック・フィルムは柔軟で薄い。
【０００７】
吸着層は、繊維で、または吸着性を有する材料で作ってよい。繊維織、すなわち対応する吸着層は洗浄液を受けて吸着層に結合させることが可能でなければならない。かかる繊維織の代わりにフィルムを用いてもよい。その場合は、使用中は洗浄液がフェースマスク内に留まるように、洗浄液を更に固い形（例えば、ゲル状の洗浄液）にしなければならない。
繊維織は、例えばＦｉ−ｂｒｅｌｌａ（ＴＭ）と呼ばれる繊維織物で作ってよい。これはウォーター・ニードル・パンチ状（ｗａｔｅｒ  ｎｅｅｄｌｅ−ｐｕｎｃｈｅｄ）で、固着剤を含まない（ｂｉｎｄｅｒ−ｆｒｅｅ）。衛生的であり吸着性が十分なヘルスケアおよび医療用の材料も本発明に係るマスクの材料に適している。
【０００８】
吸着層は薄い。吸着材料の厚さは好ましくは３ｍｍ以下、より好ましくは２ｍｍ以下、最も好ましくは１ｍｍ以下である。薄い吸着層は皮膚の輪郭どおりの形に容易にすることができる。薄い繊維自体は軽いので、皮膚の上に容易に留まる。しかし吸着層は、処置期間の始めに皮膚に与えるべき液量に対応する少なくとも或る量の液を受けることができるだけの十分な吸着性および厚さを有しなければならない。皮膚が受けることができる液の量は限られる。しかし、処置中に皮膚が乾くのを防ぐために、少なくともこの液量を繊維内に吸着しなければならない。液を皮膚内に与えた後は、電流に助けられて湿った皮膚から戻る液および不純物を受けることができるように、この薄い吸着層は十分乾燥していなければならない。
【０００９】
導電層は、例えばアルミニウム板から切り取った２個以上の別個の電極を備えてよい。これらの板は、切ってフェースマスク内に（例えばマスク内の鼻の両側に）置いてよい。必要に応じて炭層で覆ったアルミニウム層を用いてよい。これは、この層がユーザにとってアルミニウム層より適当である場合である。または、金や銀などの貴金属でアルミニウム層にめっきしてよい。
【００１０】
導電層は、例えばスクリーン印刷法により吸着層に付着させた銀または炭ペーストで作ってよい。導電層は印刷またはエッチングにより実現してもよい。短絡回路を避けるために、電極は互いに少し間隔をあけなければならない。板状の電極には、フェースマスクを密着させるために切込みを設けてよく、または穴をあけてよい。ユーザは、ユーザの顔に密着するように板の種々の部分を軽くたたくとよい。
【００１１】
導電層の電極は網状でもよい。かかる網状の電極は繊維内に直接（例えば、蒸着または注入により）形成してよい。１つの一般的な方法は、２つの繊維層を用いて、１つの層を蒸着アルミニウムで形成することである。蒸着により、導電層に種々の形の電極パターンを形成することができる。かかるパターンにより、或る領域（例えば、鼻または額）に別の有効性を加えることができる。電極パターンはスクリーン印刷により繊維内に形成してもよい。アルミニウムに加えて、導電層は、例えば金、銀、炭で作ってよい。導電電極はグラファイト板でもよい。電極部はプラスチックの分子構造を電気に似たものにしたナノテクノロジを用いて実現してもよい。かかるフェースマスクは、例えば金属に対するアレルギのある人にとって好ましい。フェースマスクは或る場所の導電層を硬くすることにより密着させてよい。例えば、鼻の領域に更に厚い二重の導電層を設けてよい。また、フェースマスクの異なる部分に異なる厚さの材料を用いてもよい。
【００１２】
フェースマスクの最上層はプラスチック・フィルムでよい。種々の層を、例えば超音波により互いに接着してよい。その場合は、導電層は吸着層と表面層との間に設ける。導電層は上部プラスチック層の下側に直接設けてもよい。導電層は穴をあけてもよい。その場合は、プラスチック層を加熱することにより最上層を最下層に接着させて、導電層内に形成される穴を通して最上層と最下層とを接着させる。このような接着法を用いると、種々の層を互いに接着させるのににかわを用いなくてよくなる。接着は、溶けるにかわ点、シリコン点、またはプラスチック・リベットを用いて実現してもよい。吸着層と上部層とはユーザが互いに接着させてもよい。その場合は、１つの層ににかわ部を設け、各層を互いに受けて接着させる。例えば液が吸着層内にすでに吸着されているときには、ユーザはこのようなにかわ付けを行うことが好ましい。
【００１３】
フェースマスクの吸着層の上にある最上部のプラスチック層は少なくとも部分的に透湿性でよく、これにより処置の間に吸着層はよく乾燥する。その場合は、皮膚が受けられない「過剰の」吸着液はフェースマスクの外側のプラスチック層を通して蒸発してよい。これにより吸着層は乾燥し、処置が終わるころに不純物は液と共に皮膚から吸着層に吸着される。
【００１４】
掴み手段は除去可能なカバー紙で覆った接着剤で作ってよい。縁部に加えて、フェースマスク全体を除去可能なカバー紙で覆ってよい。その場合は、吸着層は保管している間清潔に保たれる。フェースマスクの製作中に洗浄液をすでにフェースマスク内に吸着させてあるときは、フェースマスク全体を覆うカバー紙は特に好ましい。カバー紙上にしっかり固まって保存性がよくなるようにするために、洗浄液はゲル状でもよい。かかる掴み手段は縁部内に設ける両面ステッカ・テープで実現してもよい。
【００１５】
フェースマスクは部分フェースマスクでもよい。部分フェースマスクとは、例えば額の上に置くマスク、または鼻の領域の上に置くフェースマスクを指す。フェースマスクはすでに、例えば鼻の部分で伸ばしておいてよい。また、フェースマスクを一層密着させるために、マスクの厚さを鼻の部分で変えてよい。
フェースマスクの電極には外部装置から導体ワイヤで電流を与えてよい。導体ワイヤをフェースマスクから外に伸ばしてよく、または導体ワイヤを受けるコネクタをマスクに設けてよい。コネクタはフェースマスクの下部に、例えばあごの下に設けてよい。
【００１６】
好ましい実施の形態に関して、添付の図面を参照して本発明を詳細に説明する。
【実施例】
【００１７】
図２は、本発明に係るフェースマスクの、皮膚に当てる吸着層の前面図である。フェースマスク１００は導体ワイヤ１１を接続するコネクタ１０を含む。またフェースマスク内に電極の導体を設けて、コネクタ１０を用いずに、洗浄信号を生成する洗浄信号発生器に導体を直接接続するようにしてよい。ここではフェースマスクの形は長方形であるが、別の形でもよい（例えば楕円形でよい）。フェースマスク１００の大きさも変わってよく、図５から図７に示すように、或る領域だけを覆う部分フェースマスク１００でもよい。フェースマスク１００の外縁は、フェースマスクをユーザの皮膚に付けるための掴み手段１２０を備える縁部１０１を有する。
【００１８】
縁部１０１はここでは、掴み手段１２０（例えば、繊維に接着したにかわ点）を備える伸縮性の繊維で作る。ここでは掴み手段は、フェースマスクをユーザの皮膚の上に固定するための６つのにかわ点を備える。伸縮性の縁部および掴み手段により、フェースマスクを密着させることができる。図には６つのにかわ点を示すが、その数と大きさは変わってよい。テープ状の掴み手段で縁部を完全に覆ってもよいが、その場合は縁部に従ってたわむ必要がある。除去可能なカバー紙で掴み手段を覆ってもよい。縁部１０１に加えてフェースマスク全体を除去可能なカバー紙で覆ってもよく、その場合は、吸着層は保管している間清潔に保たれる。
【００１９】
図３は、本発明に係るフェースマスク１００の第１の実施の形態を示す。このフェースマスクは縁部１０１に加えて絶縁部１１０を備える。絶縁部１１０の目的は、フェースマスク１００内で電流が皮膚を通らずに電極の間に流れるのを防ぐことである。絶縁部の大きさおよび形は電極の形に従って変わってよいことが分かる。縁部はプラスチック材料で作ってもよい。その場合は、最上部のプラスチック層は他の層より大きい。伸縮性の最上部のプラスチック層によりフェースマスクをユーザの顔の上に付けることができる。
【００２０】
図４は本発明に係るフェースマスクの第２の実施の形態を示す。フェースマスク１００は２つの位置合わせ部１２１および１２２を備える。フェースマスクはユーザの鼻の部分に第１の位置合わせ部１２１を有する。ここにはフェースマスクのユーザの鼻に応じてフェースマスクを調整して付けるための掴み手段１２０を備える。第２の位置合わせ部１２２はユーザのあごの部分に設ける。第２の位置合わせ部の目的はユーザの口の部分のフェースマスクの開口部を調整することである。位置合わせ部の幅および長さは変わってよい。
【００２１】
図５は本発明に係るフェースマスクの第３の実施の形態を示す。フェースマスク１００は顔の或る部分を覆う部分フェースマスクである。ここに開示する部分フェースマスクは顔の下部を覆う。
【００２２】
図６および図７は本発明に係るフェースマスクの導電層を、電極が見える形で示す。図６は本発明に係るフェースマスクの第４の実施の形態を示す。フェースマスク１００は顔の或る部分を覆う部分フェースマスクである。ここに開示する部分フェースマスクは顔の上部を覆う。図から明らかなようにコネクタから電極２２および２３まで導体を設け、導体１１の電流を電極に向けて流す。また、電極２２、２３の大きさおよび形は図に示すものとは異なってよいことが分かる。
【００２３】
図７は本発明に係るフェースマスクの第５の実施の形態を示す。フェースマスク１００内の下部電極は片状であるが、上部電極は網状に重なり合う。片状および網状の電極は、例えば蒸着または注入により繊維内に直接形成してよい。蒸着により導電層に種々の形の電極パターンを形成することができる。かかるパターンにより、或る領域（例えば、鼻の領域または額の領域）に別の有効性を加えることができる。またかかるパターンにより、或る点の電極を全くなくすることができる。必要に応じて、例えば額の両側の電極２２、２３を全くなくしてよい。電極パターンはスクリーン印刷により繊維内に形成してよい。
【００２４】
当業者に明らかなように、技術が進歩するに従って、本発明の基本的考えを多くの異なる方法で実現してよい。このように、本発明およびその実施の形態は上に説明した例に限定されるものではなく、クレームの範囲内で変わってよい。
【図面の簡単な説明】
【００２５】
【図１】バンドで固定する従来技術のフェースマスクを示す。
【図２】本発明に係るフェースマスクの前面である。
【図３】本発明に係るフェースマスクの第１の実施の形態を示す。
【図４】本発明に係るフェースマスクの第２の実施の形態を示す。
【図５】本発明に係るフェースマスクの第３の実施の形態を示す。
【図６】本発明に係るフェースマスクの第４の実施の形態を示す。
【図７】本発明に係るフェースマスクの第５の実施の形態を示す。
【図１】
2009517154.tif 000003
【図２】
2009517154.tif 000004
【図３】
2009517154.tif 000005
【図４】
2009517154.tif 000006
【図５】
2009517154.tif 000007
【図６】
2009517154.tif 000008
【図７】
2009517154.tif 000009
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
顔の皮膚の洗浄のためのフェースマスクであって、該フェースマスク（１００）は層構造であり、
前記皮膚に当てる吸着層と、
導電層であって、前記フェースマスクの洗浄信号発生器が生成する電気洗浄信号を受ける２個以上の電極（２２，２３）を備え、該電極（２２，２３）は正電極（２２）と負電極（２３）とを備える電極対（２４）として前記フェースマスク（１００）内に配置され、全ての前記電極対（２４）は前記フェースマスク（１００）内にある前記導電層と、
最上部の接着層であって、他の層より広く、前記フェースマスクをユーザの顔に付けるための縁部（１０１）を形成する前記接着層と、
を備え、その特徴は、
前記最上部の接着層は少なくとも部分的に透湿性のプラスチック層であることである、前記フェースマスク（１００）。
【請求項２】
前記縁部（１０１）は前記フェースマスクのユーザの皮膚に前記フェースマスクを付けるための掴み手段（１２０）を備えることを特徴とする請求項１記載のフェースマスク。
【請求項３】
前記吸着層は繊維織物で作ることを特徴とする請求項１または２記載のフェースマスク。
【請求項４】
前記吸着層はウォーター・ニードル・パンチ状の、固着剤を含まない繊維織物で作ることを特徴とする請求項１から３のいずれか一項記載のフェースマスク。
【請求項５】
前記吸着層の厚さは３ｍｍ以下であることを特徴とする請求項１から４のいずれか一項記載のフェースマスク。
【請求項６】
前記吸着層の厚さは２ｍｍ以下であることを特徴とする請求項１から４のいずれか一項記載のフェースマスク。
【請求項７】
前記吸着層の厚さは１ｍｍ以下であることを特徴とする請求項１から４のいずれか一項記載のフェースマスク。
【請求項８】
前記フェースマスク（１００）は、ユーザの鼻の部分に前記ユーザの鼻に応じて前記フェースマスクを付けるための掴み手段（１２０）を備える位置合わせ部（１２１）を有することを特徴とする請求項１から７のいずれか一項記載のフェースマスク。
【請求項９】
前記縁部（１０１）は弾性を有することを特徴とする請求項１から８のいずれか一項記載のフェースマスク。
【請求項１０】
前記吸着層は繊維で作り、前記導電層は前記繊維内に蒸着させて形成することを特徴とする請求項１から９のいずれか一項記載のフェースマスク。
【請求項１１】
前記導電層は前記最上部のプラスチック層の下側に形成することを特徴とする請求項１から１０のいずれか一項記載のフェースマスク。
【請求項１２】
前記導電層は網状であることを特徴とする請求項１から１１のいずれか一項記載のフェースマスク。
【請求項１３】
前記導電層は穴があいていることを特徴とする請求項１から１２のいずれか一項記載のフェースマスク。
【請求項１４】
前記フェースマスク（１００）は前記ユーザの顔の或る部分だけを覆う部分フェースマスクであることを特徴とする請求項１から１３のいずれか一項記載のフェースマスク。
【請求項１５】
前記掴み手段（１２０）は接着剤を含み、除去可能なカバー紙を備えることを特徴とする請求項１から１４のいずれか一項記載のフェースマスク。
【国際調査報告】
2009517154.tif 000010
2009517154.tif 000011
2009517154.tif 000012
2009517154.tif 000013
2009517154.tif 000014
2009517154.tif 000015